(57)【特許請求の範囲】
【請求項１】
水槽と、
上記水槽内に回転自在に配置され、洗濯物を収容する収容槽と、
上記水槽へ供給すべき水に効果物質を溶出する効果物質溶出装置と、
上記収容槽および上記効果物質溶出装置の動作を制御する制御部と、
複数の洗濯コースのうちから１つを選択するための洗濯コース選択手段と、上記効果物質溶出装置を動作させる効果物質溶出コースを選択するための１つの効果物質溶出動作選択手段とを有して、上記制御部に信号を送出する操作部と
を備え、
上記１つの効果物質溶出動作選択手段は、選択された洗濯コースと連結した効果物質溶出コースと、洗濯コースと連結しない効果物質溶出コースとを順次選択可能になっており、
上記１つの効果物質溶出動作選択手段を操作することによって、上記洗濯コースと連結した効果物質溶出コースと、洗濯コースと連結しない効果物質溶出コースと、初期設定された洗濯コースとが順次選択されるようになっていて、
上記制御部は、
洗濯コースが選択されている状態で、上記１つの効果物質溶出動作選択手段が操作されたと判定したときに、洗濯コースと連結した効果物質溶出コースを選択する第１の選択制御と、
上記洗濯コースと連結した効果物質溶出コースが選択されている状態で、上記１つの効果物質溶出動作選択手段が操作されたと判定したときに、上記洗濯コースと連結しない効果物質溶出コースを選択する第２の選択制御と、
上記洗濯コースと連結しない効果物質溶出コースが選択されている状態で、上記１つの効果物質溶出動作選択手段が操作されたと判定したときに、次の洗濯コースと連結しない効果物質溶出コースを順次選択し、次選択の効果物質溶出コースが無い場合には上記初期設定された洗濯コースを選択する第３の選択制御と
を順次行うことを特徴とする全自動洗濯機。
【発明の詳細な説明】
【技術分野】
【０００１】
本発明は、例えばドラム式洗濯機や縦型全自動洗濯機等の全自動洗濯機に関する。
【背景技術】
【０００２】
従来、全自動洗濯機としては、特開平８−３０９０８７号公報に記載されたものがある。この全自動洗濯機は、複数の洗濯コースの中から１つを選択するためのコースキーを備えている。このコースキーは、柔軟剤を投入するか否かを選択するためのキーでもある。
【０００３】
つまり、ユーザはコースキーを操作するだけで、複数の洗濯コースの中から所望のコースを１つ選択することができると共に、柔軟剤を投入するか否かも選択することができる。
【０００４】
また、上記複数の洗濯コースは、ファジィコース、酵素コース、ふやかしコース、毛布コースおよびウールコースで構成されている。
【０００５】
上記構成の全自動洗濯機によれば、ユーザがコースキーを押すことによって、ファジィコース（柔軟剤投入無し）、酵素コース（柔軟剤投入無し）、ふやかしコース（柔軟剤投入無し）、毛布コース（柔軟剤投入無し）、ウールコース（柔軟剤投入無し）、ファジィコース（柔軟剤投入有り）、酵素コース（柔軟剤投入有り）、ふやかしコース（柔軟剤投入有り）、毛布コース（柔軟剤投入有り）、ウールコース（柔軟剤投入有り）とういう順に設定が変化する。
【０００６】
したがって、例えばファジィコース（柔軟剤投入無し）が選択されている状態で、ユーザがコースキーを１回押すと、酵素コース（柔軟剤投入無し）を選択できるし、ユーザがコースキーをさらに押していくと、柔軟剤を使用する洗濯コースを選択することができる。
【０００７】
しかしながら、上記従来の自動洗濯機では、ファジィコース（柔軟剤投入無し）が選択されている状態で、ユーザがファジィコース（柔軟剤投入有り）を選択しようとすると、コースキーを５回も押さなければならないため、洗濯コースの選択と柔軟剤投入の選択とに手間がかかり、操作性が悪いという問題がある。
【０００８】
現在はユーザのニーズなどにより様々な運転が可能なように洗濯コースの数が増えているが、上記従来の全自動洗濯機において洗濯コースの数を増やすと、操作性がさらに悪くなってしまう。
【０００９】
すなわち、上記従来の全自動洗濯機では、操作性の低下を引き起こさずに、洗濯コースの種類を増やすことはできない。
【特許文献１】特開平８−３０９０８７号公報
【発明の開示】
【発明が解決しようとする課題】
【００１０】
そこで、本発明の課題は、洗濯コースの数を増やしても、洗濯コースの選択に関する操作性と、効果物質溶出装置の動作の選択に関する操作性とを向上させることができる全自動洗濯機を提供することにある。
【課題を解決するための手段】
【００１１】
上記課題を解決するため、本発明の全自動洗濯機は、
水槽と、
上記水槽内に回転自在に配置され、洗濯物を収容する収容槽と、
上記水槽へ供給すべき水に効果物質を溶出する効果物質溶出装置と、
上記収容槽および上記効果物質溶出装置の動作を制御する制御部と、
複数の洗濯コースのうちから１つを選択するための洗濯コース選択手段と、上記効果物質溶出装置を動作させる効果物質溶出コースを選択するための１つの効果物質溶出動作選択手段とを有して、上記制御部に信号を送出する操作部と
を備え、
上記１つの効果物質溶出動作選択手段は、選択された洗濯コースと連結した効果物質溶出コースと、洗濯コースと連結しない効果物質溶出コースとを順次選択可能になっており、
上記１つの効果物質溶出動作選択手段を操作することによって、上記洗濯コースと連結した効果物質溶出コースと、洗濯コースと連結しない効果物質溶出コースと、初期設定された洗濯コースとが順次選択されるようになっていて、
上記制御部は、
洗濯コースが選択されている状態で、上記１つの効果物質溶出動作選択手段が操作されたと判定したときに、洗濯コースと連結した効果物質溶出コースを選択する第１の選択制御と、
上記洗濯コースと連結した効果物質溶出コースが選択されている状態で、上記１つの効果物質溶出動作選択手段が操作されたと判定したときに、上記洗濯コースと連結しない効果物質溶出コースを選択する第２の選択制御と、
上記洗濯コースと連結しない効果物質溶出コースが選択されている状態で、上記１つの効果物質溶出動作選択手段が操作されたと判定したときに、次の洗濯コースと連結しない効果物質溶出コースを順次選択し、次選択の効果物質溶出コースが無い場合には上記初期設定された洗濯コースを選択する第３の選択制御と
を順次行うことを特徴としている。
【００１２】
上記構成の全自動洗濯機によれば、上記操作部が、複数の洗濯コースのうちから１つを選択するための洗濯コース選択手段と、効果物質溶出装置を動作させる効果物質溶出コースを選択するための１つの効果物質溶出動作選択手段とを有しているので、洗濯コースの数を増やしても、洗濯コースの選択に関する操作性と、効果物質溶出装置の動作の選択に関する操作性とを向上させることができる。
【００１３】
また、上記１つの効果物質溶出動作選択手段は、選択された洗濯コースと連結した効果物質溶出コースと、洗濯コースと連結しない効果物質溶出コースとを順次選択可能になっているので、効果物質溶出コースを選択するための選択手段の数を少なくでき、コストアップが生じるのを防ぐことができる。
【００１４】
また、上記１つの効果物質溶出動作選択手段は、選択された洗濯コースと連結した効果物質溶出コースと、洗濯コースと連結しない効果物質溶出コースとを順次選択可能になっているので、効果物質溶出コースの選択が容易になり、効果物質溶出コースの選択に関する操作性を向上させることができる。
【００１５】
【００１６】
【００１７】
【００１８】
【００１９】
【００２０】
【００２１】
【００２２】
【００２３】
【００２４】
また、上記制御部は、洗濯コースと連結しない効果物質溶出コースが選択されている状態で、上記１つの効果物質溶出動作選択手段が操作されたと判定したときに、次の洗濯コースと連結しない効果物質溶出コースを順次選択し、次選択の効果物質溶出コースが無い場合には上記初期設定された洗濯コースを選択するから、初期設定された洗濯コースの選択を再び行わなくてもよく、洗濯コースの選択に関する操作性が悪くなるのを防ぐことができる。
【００２５】
【００２６】
【発明の効果】
【００２７】
本発明の全自動洗濯機によれば、操作部が、複数の洗濯コースのうちから１つを選択するためのコース選択部と、効果物質溶出装置を動作させる効果物質溶出コースを選択するための１つの効果物質溶出動作選択手段とを有しているので、洗濯コースの数を増やしても、洗濯コースの選択に関する操作性と、効果物質溶出装置の動作の選択に関する操作性とを向上させることができる。
【００２８】
また、上記効果物質溶出動作選択手段は、選択された洗濯コースと連結した効果物質溶出コースと、洗濯コースと連結しない効果物質溶出コースとを順次選択可能になっているので、効果物質溶出コースを選択するための選択手段の数を少なくでき、コストアップが生じるのを防ぐことができる。
【００２９】
また、上記効果物質溶出動作選択手段は、選択された洗濯コースと連結した効果物質溶出コースと、洗濯コースと連結しない効果物質溶出コースとを順次選択可能になっているので、効果物質溶出コースの選択が容易になり、効果物質溶出コースの選択に関する操作性を向上させることができる。
【発明を実施するための最良の形態】
【００３０】
以下、本発明の全自動洗濯機を図示の実施の形態により詳細に説明する。
【００３１】
まず、本発明の一実施の形態のドラム式（横型）洗濯機６０１の構成について説明する。
【００３２】
図１に、上記ドラム式洗濯機６０１の外観の概略斜視図を示す。また、図２に、上記ドラム式洗濯機６０１の概略垂直断面図の概略を示す。
【００３３】
上記ドラム式洗濯機６０１は、図２に示すように、箱形の本体６１０と、この本体６１０内に配置された水槽６２０と、この水槽６２０内に回転自在に配置され、洗濯物を収容するドラム６３０とを備えている。水槽６２０もドラム６３０も円筒形であり、それぞれ前端面に洗濯物投入口６２１，６３１を有している。なお、ドラム６３０は収容槽の一例である。
【００３４】
上記ドラム６３０の底部中心からは、外向きに軸６３２が突出している。この軸６３２が水槽６２０の底部中心に設けられた軸受６２２に支えられることにより、ドラム６３０と水槽６２０とは、ドラム６３０を内、水槽６２０を外とする同心配置となっている。
【００３５】
上記水槽６２０は、図示しないサスペンション機構により、軸線が水平面に対して角度θ（例えば１５°）の傾斜をなすように、ハウジング６１０内で支持されている。これにより、ドラムの軸線も水平面に対して角度θ（例えば１５°）の傾斜をなし、水槽６２０，ドラム６３０の後端面に比べ、洗濯物投入口６２１，６３１の方がやや持ち上がっている。つまり、水槽６２０およびドラム６３０は、軸線が鉛直方向に対して交差するように配置されている。これは、ドラム６３０の内部を見やすくするためと、洗濯物の出し入れを容易にするためである。
【００３６】
なお、上記ドラム式の洗濯機６０１においては、上記角度θは０°〜３０°の範囲を想定しているが、水槽６２０，ドラム６３０の軸心が鉛直方向に対して交差していれば、この範囲に特に限定されるわけではない。
【００３７】
上記ハウジング６１０の正面側外壁には、洗濯物投入口６２１，６３１と向かい合うように、開口６１１が設けられている。この開口６１１は、ハウジング６１０に回動自在に取り付けられた横開きのドア６１２で開閉される。開口６１１と洗濯物投入口６２１とは、軟質合成樹脂又はゴムよりなるドアパッキン６１３により連結されている。ドアパッキン６１３は、ドラム６３０の中で生じる水の飛沫、濡れた洗濯物を出し入れする際の水のしたたり、あるいは洗濯物投入口６２１からの溢水などが、ハウジング６１０の内部を濡らすのを防ぐものである。
【００３８】
上記ドアパッキン６１３の内周面には環状のリップ６１４が一体に設けられている。このリップ６１４は、ドア６１２の内面に設けられた突部６１５の外周に密着することで、ドアパッキン６１３とドア突部６１５との隙間から水が漏れるのを防いでいる。突部６１５は、ドラム６３０の中の洗濯物が洗濯物投入口６２１からはみ出るのを防ぐ役割を担っている。なお、突部６１５は、ドラム６３０の内部を見通すことができるように透明材料で形成してもよいし、あるいは透明材料以外の材料で形成してもよい。
【００３９】
上記ドラム６３０の周壁全域には複数の脱水孔６３３が設けられている。この脱水孔６３３は、ドラム６３０の周壁を貫通している。これにより、ドラム６３０内の水や空気が脱水孔６３３を通って水槽６２０とドラム６３０との間に流入できたり、水槽６２０とドラム６３０との間の水や空気が脱水孔６３３を通ってドラム６３内に流入できたりする。また、ドラム６３０の内周面には、複数のバッフル６３４が所定の間隔で設けられている。バッフル６３４はドラム６３０の回転に伴って、洗濯物の持上げと落下とを繰り返す働きをする。
【００４０】
上記ドラム６３０の前端面には、洗濯物投入口６３１を取り囲むように環状のバランスウェイト（バランサ）６３５が取り付けられている。また、図示しないが、ドラム６３０の外周面にもバランスウェイトが取り付けられている。これらのバランスウェイト６３５は、ドラム６３０が高速回転したときに発生する振動を抑制するものである。
【００４１】
上記水槽６２０の底部外面（後端面）には、モータ６４０が取り付けられている。モータ６４０はダイレクトドライブ方式のものであり、モータ６４０のロータにはドラム６３０の軸６３２が連結固定されている。なお、上記軸受６２２は、モータ６４０の外箱に取り付けられ、モータ６４０の構成要素の一部となっている。
【００４２】
上記水槽６２０の上方の空間には、電磁的に開閉する給水弁５０が配置されている。この給水弁５０には、ハウジング６１０を貫通して後方に突き出す接続管５１の前端部が接続されている。そして、接続管５１の後端部には、水道水などの上水を供給する給水ホース（図示せず）が接続されている。また、給水弁５０には給水管５２の後端部も接続されている。そして、給水管５２の前端部は、容器状の給水口５３に接続されている。
【００４３】
図３に、上記給水口５３の構成の模式図を示す。
【００４４】
上記給水口５３は上面が開口しており、内部が洗剤室５４と仕上剤室５５とに区画されている。洗剤室５４は洗剤を入れておく準備空間となる一方、仕上剤室５５は洗濯用の仕上剤を入れておく準備空間となる。洗剤室５４の底部には、洗剤室５４内の水を集水桝６５３に供給するための注水口５６が設けられている。同様に、仕上剤室５５の底部にも、仕上剤室５５内の水を集水桝６５３に注水するためのサイホン部５７が設けられている。給水桝６５３内の空間は給水ノズル６５２を介して水槽６２０内の空間と連通している。
【００４５】
上記サイホン部５７は、仕上剤室５５の底面から垂直に立ち上がる内管５７ａと、内管５７ａにかぶせられるキャップ状の外管５７ｂとからなっている。内管５７ａと外管５７ｂとの間には、水の通る隙間が形成されている。内管５７ａの底部は、集水桝６５３に向かって開口している。外管５７ｂの下端は、仕上剤室５５の底面に対して所定の隙間を有している。内管５７ａの上端を超えるレベルまで仕上剤室５５に水が注ぎ込まれると、サイホンの作用が起こり、仕上剤室５５とサイホン部５７との間の水は上記隙間を介してサイホン部５７内に吸い込まれて集水桝６５３へと落下する。
【００４６】
上記給水弁５０は、メイン給水弁５０ａとサブ給水弁５０ｂとからなっている。接続管５１は、メイン給水弁５０ａおよびサブ給水弁５０ｂの両方に共通である。つまり、接続管５１内の水は、メイン給水弁５０ａとサブ給水弁５０ｂとのどちらにも供給することができる。
【００４７】
上記メイン給水管５２ａはメイン給水弁５０ａと洗剤室５４とを接続する一方、サブ給水管５２ｂはサブ給水弁５０ｂと仕上剤室５５とを接続している。すなわち、給水弁５０と給水ノズル６５２との間においては、メイン給水管５２ａから洗剤室５４を通って集水桝６５３に注ぐ経路と、サブ給水管５２ｂから仕上剤室５５を通って集水桝６５３に注ぐ経路とが形成されており、しかもこれらが別系統となっている。なお、メイン給水管５２ａとサブ給水管５２ｂとは給水管５２を構成している。また、メイン給水管５２ａの途中には、電極１１３，１１４を有する銀イオン溶出ユニット１００が設けられている。なお、銀イオン溶出ユニット１００は効果物質溶出装置の一例である。
【００４８】
上記洗剤室５４の上面および仕上剤室５５の上面は、それぞれ、開口している。これらの開口は、各々図示しない蓋で閉じられている。使用者は、必要に応じて上記蓋を開け、洗剤室５４には洗剤を、仕上剤室５５には仕上剤をそれぞれ投入することになる。
【００４９】
また、図２に示すように、上記水槽６２０の最も低くなった箇所には、排水口６２３が設けられており、ここに排水管６６０の後端が接続されている。一方、排水管６６０の前端は、フィルタケーシング６６１に接続されている。フィルタケーシング６６１の中には、糸屑フィルタ６６２が挿入されている。糸屑フィルタ６６２は、合成樹脂の網や布により形成され、洗濯液中の糸屑を捕集する。フィルタケーシング６６１の前端は、着脱自在なキャップ６６３で閉ざされており、キャップ６６３を取り外して糸屑フィルタ６６２を掃除したり、交換したりすることができる。
【００５０】
上記フィルタケーシング６６１の後端には、排水管６６４が接続されている。フィルタ６６２を通過した排水は、排水管６６４を介してハウジング６１０の外に排出される。排水管６６４の途中には、排水弁６６５が設けられている。
【００５１】
上記フィルタケーシング６６１には、エアトラップ６７１が接続されている。そして、エアトラップ６７１から導出された導圧パイプ６７２の上端に、水位センサ６７３が設けられている。水位センサ６７３は、エアトラップ６７１内の圧力変化に応じて磁性体をコイル内で移動させ、その結果生じるコイルのインダクタンス変化を発振周波数の変化として検出し、この発振周波数の変化から水位を読みとるものである。ここで、水位センサ６７３が読みとるのはドラム６３０内の水位である。
【００５２】
上記ハウジング６１０の前面側の上部には操作パネル６１６が設けられている。この操作パネル６１６下には、マイクロコンピュータを主たる構成要素とする制御部６９０が設けられている。制御部６９０は、EEPROM（Electrically Erasable Programmable Read-Only Memory）など必要な記憶装置６９１を含んでいる。また、制御部６９０は、ハウジング６１０の中に操作パネル６１６と近接して配置されており、操作スイッチ部６８４（図１参照）を通じて使用者からの操作指令を受け、モータ６４０、給水弁５０、および排水弁６６５に動作指令を発する。また、制御部６９０は、表示部６８２（図１参照）に表示指令を発する。また、制御部６９０は銀イオン溶出ユニット１００を駆動するための駆動回路を含んでいる。なお、銀イオン溶出ユニット１００による作用については、図８のフローチャートの説明で詳述する。なお、操作パネル６１６は操作部の一例であり、記憶装置６９１は記憶部の一例である。
【００５３】
ここで、上記操作パネル６１６は、使用者が所望の洗濯モードを設定するための入力部である。制御部６９０は、操作パネル６１６によって設定された洗濯モードに応じて、個別工程を選択し、実行することになる。上記個別工程としては、例えば、洗い工程、すすぎ工程、脱水工程、乾燥工程が考えられる。したがって、制御部６９０が実行する洗濯工程は、上記洗濯モードに応じて、洗い工程、すすぎ工程、脱水工程、乾燥工程の少なくとも１個またはそれらの組み合わせからなっている。
【００５４】
以下、上記構成のドラム式洗濯機６０１の動作について説明する。
【００５５】
まず、使用者は、ドア６１２を開け、ドラム６３０の中に洗濯物を入れると共に、給水口５３の洗剤室５４に洗剤を入れる。このとき、必要であるなら、使用者は、仕上剤室５５に仕上剤を入れる。仕上剤は、このときでなくても洗濯工程の途中で入れてもよい。
【００５６】
次に、使用者は、ドア６１２を閉じ、操作パネル６１６の操作スイッチ部６８４を操作して洗濯モード（洗濯条件）を選ぶ。
【００５７】
最後に、使用者がスタートボタンを押せば、図４乃至図７のフローチャートに従い、上記洗濯モードに応じた洗濯工程が遂行される。
【００５８】
図４に、上記洗濯工程全体のフローチャートを示す。
【００５９】
上記洗濯工程が開始されると、まず、ステップＳ２０１で、予約運転が選択されているか否かを判定する。ステップＳ２０１で、予約運転が選択されていないと判定すると、ステップＳ２０２に進む。一方、ステップＳ２０１で、予約運転が選択されていると判定すると、ステップＳ２０６に進む。なお、上記予約運転は、洗濯工程がスタートする前に使用者によって設定されるものである。
【００６０】
上記ステップＳ２０６では、上記予約運転の運転開始時刻になったか否かを判定する。ステップＳ２０６で、予約運転の運転開始時刻になったと判定すると、ステップＳ２０２に進む。一方、ステップＳ２０６で、予約運転の運転開始時刻になっていないと判定すると、再びステップＳ２０６を行う。すなわち、ステップＳ２０６では、予約運転の運転開始時刻になったと判定するまで、その運転開始時刻の判定を繰り返す。
【００６１】
次に、ステップＳ２０２で、洗い工程が選択されているか否かを判定する。ステップＳ２０２で、洗い工程が選択されていないと判定すると、直ちにステップＳ２０３に進む。一方、ステップＳ２０２で、洗い工程が選択されていると判定すると、ステップＳ３００に進む。
【００６２】
上記ステップＳ３００に進む場合は、ステップＳ３００で、別途図５のフローチャートで説明する洗い工程を行った後、ステップＳ２０３を進む。
【００６３】
次に、ステップＳ２０３で、すすぎ工程が選択されているか否かを判定する。ステップＳ２０３で、すすぎ工程が選択されていないと判定すると、直ちにステップＳ２０４に進む。一方、ステップＳ２０３で、すすぎ工程が選択されていると判定すると、ステップＳ４００−１に進む。
【００６４】
上記ステップＳ４００−１に進む場合は、ステップＳ４００−１，ステップＳ４００−２，ステップＳ４００−１のそれぞれで、別途図６のフローチャートで説明するすすぎ工程を順次行った後、ステップＳ２０４に進む。
【００６５】
なお、上記すすぎ工程は、１回または複数回行われる。図４では、上記すすぎ工程が３回にわたって実施されることとし、各回のステップ番号には「Ｓ４００−１」「Ｓ４００−２」「Ｓ４００−３」と枝番号を付して表記している。上記すすぎ工程の回数は、使用者が任意に設定できる。銀イオン溶出ユニット１００が溶出するＡｇイオンと、仕上剤室５５内に投入された仕上剤とを、それぞれ、別のすすぎ工程で水槽６２０内へ投入する場合は、最低でも２回のすすぎ工程を行う必要がある。なお、上記Ａｇイオンは金属イオンの一例である。また、上記Ａｇイオンと仕上剤とを同時に同じすすぎ工程で投入してもよい。この場合、すすぎ工程の回数は１回以上であればよいということになる。
【００６６】
次に、ステップＳ２０４で、脱水工程が選択されているか否かを判定する。ステップＳ２０４で、脱水工程が選択されていないと判定すると、直ちにステップＳ２０５に進む。一方、ステップＳ２０４で、脱水工程が選択されていると判定すると、ステップＳ５００に進む。
【００６７】
上記ステップＳ５００に進む場合は、ステップＳ５００で、別途図７のフローチャートで説明する脱水工程を行った後、ステップＳ２０５に進む。
【００６８】
次に、ステップＳ２０５で、制御部６９０、特にその中に含まれる演算装置（マイクロコンピュータ）による終了処理が手順に従って自動的に進められる。また、ステップＳ２０５で、制御部６９０は、洗濯工程が完了したことを終了音で使用者に報知する。ステップＳ２０５の終了処理および終了音報知すると、洗濯工程が終了して、ドラム式洗濯機６０１は次の洗濯工程に備えて待機状態に戻る。
【００６９】
なお、図４のフローチャートでは、乾燥工程の判定は行っていなかったが、ステップＳ２０４の後に行ってもよい。より詳しくは、ステップＳ２０４で、脱水工程が選択されていないと判定すると、直ちに乾燥工程に進むようにすると共に、ステップＳ５００の脱水工程が終わった後、乾燥工程に進むようにしてもよい。この乾燥工程では、例えば、ドラム６３０内に温風を供給することで、洗濯物が乾燥される。ドラム６３０から排出される高温多湿の空気は、冷却水によって冷却され、当該空気中の湿気が水に変換される。すなわち、上記乾燥工程では、水冷除湿方式を採用している。冷却水によって冷却された水は、排水管６６４を介して機外に排出される。
【００７０】
以下、上記洗濯工程のうち、洗い工程、すすぎ工程、脱水工程の各個別工程の詳細について説明する。
【００７１】
まず、上記洗い工程を図５のフローチャートに従って説明する。
【００７２】
上記洗い工程が開始されると、まず、ステップＳ３０１で、ドラム６３０内の水位を検知する。より詳しくは、ステップＳ３０１で、水位センサ６７３（図２参照）の検知しているドラム６３０内の水位データのとり込みを行う。
【００７３】
次に、ステップＳ３０２で、容量センシングが選択されているか否かを判定する。ステップＳ３０２で、容量センシングが選択されていないと判定すると、直ちにステップＳ３０３に進む。一方、ステップＳ３０２で、容量センシングが選択されていると判定すると、ステップＳ３０８に進む。
【００７４】
上記ステップＳ３０８に進む場合は、ステップＳ３０８で、容量センシングを行った後、ステップＳ３０３に進む。上記容量センシングでは、ドラム６３０の回転負荷により洗濯物の量を測定する。
【００７５】
次に、ステップ３０３で、メイン給水弁５０ａが開き、メイン給水管５２ａおよび給水口５３を通じてドラム６３０に水が注がれる。より正確に言うと、水槽６２０に水が注がれ、その水が脱水孔６３３を通じてドラム６３０に浸入する。ドラム６３０内に侵入する水には、給水口５３の洗剤室５４に入れられた洗剤が混じっている。このとき、排水弁６６５は閉じている。そして、水位センサ６７３が設定水位を検知したら、メイン給水弁５０ａを閉じて、ステップＳ３０４に進む。
【００７６】
次に、ステップＳ３０４で、なじませタンブリングを行う。このなじませタンブリングでは、ドラム６３０が低速で回転し、洗濯物を水から出しては再び水の中に落下させて、洗濯物に水を十分に吸収させる。また、洗濯物の各所にとらわれていた空気を逃がす。
【００７７】
次に、ステップＳ３０６で、ドラム６３０が洗いタンブリングのパターンで回転し、洗濯物を高く持ち上げては落下させる。この落下時の衝撃により、洗濯物の繊維の間に水の噴流が発生し、洗濯物が洗われる。このような洗いタンブリングが洗濯モードに応じた時間行われる。
【００７８】
最後に、ステップＳ３０７で、ドラム６３０をゆるやかに回転させて、洗濯物をほぐし、洗濯物のバランスを取って、洗い工程が終了する。
【００７９】
上記ドラム６３０がゆるやかに回転した場合、洗濯物は高い位置に持ち上げられる前に、低い位置でドラム６３０から離れて落下する。これにより、洗濯物はたたきつけられるというよりもむしろ転がるような感じになり、洗濯物同士が比較的ふんわりと重なる。この状態であれば、ドラム６３０が高速の脱水回転を始めたときに、洗濯物が四方に分散しやすい。すなわち、ドラム６３０内の洗濯物のバランスをとりやすい。そのため、ドラム６３０をゆるやかに回転させて洗濯物をほぐし、脱水回転に備えているのである。
【００８０】
これに対して、洗濯物が高い位置から落下した場合には、洗濯物はドラム６３０の内壁にたたきつけられ、内壁にぺたりとへばりつく。この状態では、ドラム６３０が高速の脱水回転を始めたとき、ドラム６３０内の洗濯物のアンバランスが解消されにくい。
【００８１】
次に、上記すすぎ工程を図６のフローチャートに従って説明する。
【００８２】
上記すすぎ工程が開始されると、まず、ステップＳ５００で、脱水工程（ここでは、すすぎ工程の中の脱水工程であるため、以下、「中間脱水工程」と称する）を行うが、これについては図７のフローチャートに従って後で説明する。
【００８３】
次に、ステップＳ４０１で、メイン給水弁５０ａが開き、ドラム６３０内の水位が設定水位になるまで、ドラム６３０内への給水が行われる。
【００８４】
次に、ステップＳ４０２で、なじませタンブリングを行う。このステップＳ４０２のなじませタンブリングは、上述した洗い工程におけるステップＳ３０４のなじませタンブリングと同様であるので、説明を省略する。
【００８５】
次に、ステップＳ４０３で、使用者の設定に従い、ドラム６３０をすすぎタンブリングのパターンで回転させる。ドラム６３０は、回転により洗濯物を水にくぐらせ、また上の方に持ち上げては落下させる。これにより、洗濯物のすすぎが行われる。このようなすすぎタンブリングが洗濯モードに応じた時間行われる。
【００８６】
次に、ステップＳ４０６で、ドラム６３０がゆるやかに回転させて、洗濯物をほぐし、洗濯物のバランスを取って、すすぎ工程が終了する。
【００８７】
なお、上記すすぎ工程では、ドラム６３０の中にすすぎ水をためておいてすすぎを行う「ためすすぎ」を実行するものとしたが、常に新しい水を補給する注水すすぎ、あるいは、洗濯物に水のシャワーを注ぎかけるシャワーすすぎを行うこととしてもよい。
【００８８】
次に、上記脱水工程を図７のフローチャートに従って説明する。
【００８９】
上記脱水工程が開始されると、まず、ステップＳ５０１で、排水弁６６５を開く。これにより、ドラム６３０の中の洗濯水（洗濯物を洗うための水、または、洗濯物をすすぐための水）は、排水弁６６５を通じて排水される。排水弁６６５は脱水工程中は開いたままである。
【００９０】
上記排水弁６６５を開いてから所定時間が経過し、洗濯物から大部分の水が抜けたところで、ドラム６３０が脱水回転を開始する。ドラム６３０が高速で回転すると、洗濯物は遠心力でドラム６３０の内周壁に押しつけられる。これにより、洗濯物に含まれていた水も、ドラム６３０の内周壁面に集まり、脱水孔６３３からドラム６３０外へ放出される。ドラム６３０外へ出た洗濯水は、水槽６２０の内面にたたきつけられ、水槽６２０の内面を伝って水槽６２０の底部に流れ落ちる。そして排水口６２３、排水管６６０、フィルタケーシング６６１、排水管６６４、および排水弁６６５を通って、ハウジング６１０の外に排出される。
【００９１】
図７のフローチャートでは、ステップＳ５０２とステップＳ５０３とで比較的低速の脱水運転を行った後、ステップＳ５０４とステップＳ５０５とで比較的高速の脱水運転を行う組み立てとなっている。ステップＳ５０５の後は、ステップＳ５０６に移行する。ステップＳ５０６では、モータ６４０への通電を断つとともにブレーキを働かせることなくドラム６３０を慣性で回転させ、自然停止に至らせる。
【００９２】
以下、上記銀イオン溶出ユニット１００によるＡｇイオンの溶出および投入工程について説明する。
【００９３】
図８に、上記銀イオン溶出ユニット１００によるＡｇイオンの溶出および投入工程を説明するためのフローチャートを示す。
【００９４】
図８のフローチャートは、図６のすすぎ工程のフロー中、例えばステップＳ４０１の給水の段階で遂行される。
【００９５】
すなわち、上記ステップＳ４０１の給水が開始されると、ステップＳ４１１で、操作パネル６１６における選択動作によって「Ａｇイオンの投入」が選択されているか否かを判定する。ステップＳ４１１で、「Ａｇイオンの投入」が選択されていると判定すると、ステップＳ４１２に進む一方、「Ａｇイオンの投入」が選択されていないと判定すると、ステップＳ４２２に進む。なお、ステップＳ４１１の判定ステップは、ステップＳ４０１の給水が開始される前に行っておいてもよい。
【００９６】
上記ステップＳ４１２では、メイン給水弁５０ａを開いて、銀イオン溶出ユニット１００に所定流量の水を流す。これと同時に、制御部６９０の駆動回路が、電極１１３，１１４の間に電圧を印加し、電極構成金属のイオンを水中に溶出させて、Ａｇイオン添加水を得る。このとき、電極１１３，１１４を流れる電流は直流である。上記Ａｇイオン添加水は給水口５３から水槽６２０内に投入される。
【００９７】
上記制御部６９０は、所定量のＡｇイオン添加水を水槽６２０内に投入し、すすぎ水のＡｇイオン濃度が所定値に達したと判断したところで、電極１１３，１１４への電圧印加を停止する。
【００９８】
また、上記ステップＳ４０２では、サブ給水弁５０ｂを開き、給水口５３の仕上剤室５５にも水を流す。これにより、上記仕上剤室５５に仕上剤が入れられていれば、その仕上剤は、サイホン部５７から水と共に水槽６２０内に投入される。
【００９９】
上記サイホン部５７によるサイホン効果は仕上剤室５５の中の水位が所定高さに達してはじめて生じるので、サブ給水弁５０ｂを開いて仕上剤室５５に水を流すまでは仕上げ剤を仕上剤室５５に保持しておくことができる。
【０１００】
本実施の形態では、仕上剤の投入の選択は行わず、常に仕上剤を投入することを前提とした動作が行われる。なお、ユーザーが仕上剤を投入したくない場合は、仕上剤室５５に仕上剤をセットしなければよい。
【０１０１】
ただし、本実施の形態では、メイン給水弁５０ａとサブ給水弁５０ｂとは、同時には開かない仕様とした。これは、メイン給水弁５０ａとサブ給水弁５０ｂとを同時に開くと、給水口５４に対する総給水量が大きくなり、給水口５４から水が溢れる可能性があるためである。
【０１０２】
具体的には、図９に示すように、制御部６９０は、最初に５秒間サブ給水弁５０ｂのみを開き、１０秒間メイン給水弁５０ａのみを開くという動作を４回繰り返し、その後、２０秒間サブ給水弁５０ｂのみを開き、その後、所定水位を検知するまでメイン給水弁５０ａのみを開く。このような動作にすることで、給水口５４から水が溢れることもなく、仕上剤も安定して水槽６２０内へ投入することができる。
【０１０３】
このとき、同図に示すように、制御部６９０は、銀イオン溶出ユニット１００の電極１１３，１１４への電圧印加を、メイン給水弁５０ａを開いているときのみ行うようにしている。これは、メイン給水弁５０ａからの給水経路中に銀イオン溶出ユニット１００が配置されているためである。つまり、メイン給水弁５０ａが閉じているときには、銀イオン溶出ユニット１００中に水がほとんど存在せず、その状態で電圧を印加すると、電流がどのくらい流れるかわからず、Ａｇイオンの溶出量が不明となり、望ましくないからである。
【０１０４】
また、本実施の形態では、銀イオン溶出ユニット１００の制御部６９０の駆動回路１２０の電源と、メイン給水弁５０ａの電磁弁の電源とを、同じ電源から途中で分岐する形で並列にしている。このように各電源を別々に設けることにより、各電源のＯＮ／ＯＦＦを独立して制御できるので、メイン給水弁５０ａが開いているとき以外は、より確実に、銀イオン溶出ユニット１００への電圧印加が行われないようにすることができる。
【０１０５】
また、本実施の形態では、同図に示すように、制御部６９０は、電極１１３，１１４の極性が２０秒おきに反転するように、上記各電極に電圧を印加している。なお、同図では、一方の電極が陽極になる場合を＋で、陰極となる場合を−で表記している。
【０１０６】
このような電極極性の反転制御を行う理由は、以下の通りである。
【０１０７】
（１）  陽極からは、Ａｇイオンが溶け出すため、一方の電極がずっと陽極になると、その電極だけが減耗してしまう。
【０１０８】
（２）  陰極にはカルシウムなどからなるスケールが付着しやすい。このスケールは、スケールが付着した電極を陽極にすることで除去できるが、一方の電極がずっと陰極になっているとスケールの付着量が多くなり、陽極にしても除去しにくくなる。
これらの不都合を回避するため、本実施の形態では、電極の極性を周期的に反転させる制御を行っている。
【０１０９】
一方、上記ステップＳ４２２では、Ａｇイオンの添加は行わない。つまり、制御部６９０がメイン給水弁５０ａを開き、銀イオン溶出ユニット１００に所定流量の水を流す点は同じであるが、銀イオン溶出ユニット１００中の電極１１３，１１４への電圧印加は行わない。それ以外の点では、ステップＳ４１２と同じである。
【０１１０】
図１０に、上記操作パネル６１６の模式図を示す。
【０１１１】
上記操作パネル６１６には、電源入キー７００、電源切キー７０１、スタートキー７０２、洗乾キー７０３、洗濯コース選択手段の一例としてのコースキー７０４、効果物質溶出動作選択手段の一例としてのイオンキー７０５、乾燥キー７０６、脱水キー７０７、すすぎキー７０８、洗いキー７０９、水量キー７１０、予約キー７１１およびふろ水キー７１２が設けられている。
【０１１２】
ユーザは、コースキー７０４を押すことにより、８つの洗濯コースから１つを選択することができる。この８つの洗濯コースとは、標準コース、ナイトコース、毛布コース、室内干しコース、ガンココース、槽洗浄コース、倍速コースおよびドライコースである。そして、ユーザは、コース設定表示部７１３を見て、コースキー７０４で選択したコースを確認することができる。なお、標準コース、ナイトコース、毛布コース、室内干しコース、ガンココース、槽洗浄コース、倍速コースおよびドライコースのそれぞれは洗濯コースの一例である。
【０１１３】
また、ユーザは、イオンキー７０５を押すことにより、コースキー７０４で選択したコースにおいてイオン出力を実施するか否かの設定と、Ａｇイオン溶出専用のコースとの選択を行える。コースキー７０４で選択したコースにおいてイオン出力を実施する設定がされると、イオン設定表示部７１４の『除菌・防臭』のＬＥＤが点灯する。一方、Ａｇイオン溶出専用のコース、つまり、Ａｇリンスコースまたは槽除菌コースが選択されると、『Ａｇリンス』または『槽除菌』のＬＥＤが点灯する。
上記Ａｇリンスコースは、コース設定表示部７１３のコースのように、洗濯物や水槽６２０を洗剤で洗濯することを目的とするものではなくて、洗濯物にＡｇイオンを付着させることを目的としている。具体的には、上記Ａｇリンスコースは、最初にステップＳ４０１を行って、Ａｇイオンを含む水を水槽６２０に供給した後、ステップＳ４０２〜４０４，Ｓ５０２〜Ｓ５０６を順次行う。
【０１１４】
上記槽除菌コースも、洗濯物や水槽６２０を洗剤で洗濯することを目的とするものではなくて、水槽６２０をＡｇイオンで除菌することを目的としている。具体的には、上記槽除菌コースは、最初にステップＳ４０１を行って、Ａｇイオンを含む水を水槽６２０に供給した後、Ａｇイオンを含む水が水槽６２０に入っている状態を所定時間保持してから、水槽６２０内の水を排水する。また、上記槽除菌コースにおいて水槽６２０内へ供給する水のＡｇイオン濃度は、Ａｇリンスコースにおいて水槽６２０内へ供給する水のＡｇイオン濃度よりも高くなるように設定されている。なお、上記槽除菌コースは、Ａｇイオンを含む水が水槽６２０に入っている状態で、ドラム６３０を所定時間回転させてから、水槽６２０内の水を排水してもよい。
【０１１５】
このように、上記操作パネル６１６には、複数の洗濯コースから１つを選択するためのコースキー７０４と、洗濯コースと無関係な２つのＡｇイオン使用動作を選択するためのイオンキー７０５とを設けているから、洗濯コースが８つと多くても、洗濯コースの選択に関する操作性と、Ａｇイオン使用動作の選択に関する操作性とを向上させることができている。
【０１１６】
以下、図１１Ａ，図１１Ｂを用いて、イオンキー７０５による設定について説明する。ここでは、最初、標準コースが選択されているとする。
【０１１７】
図１１Ａに示すように、標準コースが選択されている状態、つまり、コース設定表示部７１３およびイオン設定表示部７１４において、『標準』のＬＥＤのみが点灯した状態８００で、ユーザがイオンキー７０５を１回押すと、『標準』および『除菌・防臭』のＬＥＤがのみ点灯した状態８０１に変化する。つまり、標準コースで除菌・防臭を行うという設定が選択される。より詳しくは、標準コースのすすぎ工程は、Ａｇイオンを含む水を用いて行う。
【０１１８】
次に、上記コース設定表示部７１３およびイオン設定表示部７１４において、『標準』および『除菌・防臭』のＬＥＤのみが点灯した状態８０１で、ユーザがイオンキー７０５を１回押すと、図１１Ｂに示すように、『標準』のＬＥＤが消え、『Ａｇリンス』のＬＥＤのみが点灯した状態８０２に変化する。つまり、標準コースの設定が解除され、Ａｇリンスコースが選択される。
【０１１９】
次に、上記コース設定表示部７１３およびイオン設定表示部７１４において、『Ａｇリンス』のＬＥＤのみが点灯した状態８０２で、ユーザがイオンキー７０５を１回押すと、『Ａｇリンス』のＬＥＤが消え、『槽除菌』のＬＥＤのみが点灯した状態８０３になる。
【０１２０】
次に、上記コース設定表示部７１３およびイオン設定表示部７１４において、『槽除菌』のＬＥＤのみが点灯した状態８０３で、ユーザがイオンキー７０５を１回押すと、図１１Ａに示すように、『槽除菌』のＬＥＤが消え、『標準』のＬＥＤのみが点灯した状態８００に戻る。つまり、標準コースで除菌・防臭を行わないという設定が選択される。
【０１２１】
図１３に、図１１Ａ，図１１Ｂでのイオンキー７０５による設定のフローチャートを示す。
【０１２２】
まず、標準コースが選択されている状態においてイオンキー７０５が押された否かの判定を行う（ステップＳ６０１）。
【０１２３】
上記ステップＳ６０１でイオンキー７０５が押された判定した場合、標準コースの選択を解除すると共に、除菌・防臭コースを選択した後、イオンキー７０５が押された否かの判定を行う（ステップＳ６０２，Ｓ６０３）。
【０１２４】
上記ステップＳ６０３でイオンキー７０５が押された判定した場合、標準コースおよび除菌・防臭コースの選択を解除すると共に、Ａｇリンスコースを選択した後、イオンキー７０５が押された否かの判定を行う（ステップＳ６０４，Ｓ６０５）。
【０１２５】
上記ステップＳ６０５でイオンキー７０５が押された判定した場合、Ａｇリンスコースの選択を解除すると共に、槽除菌コースを選択した後、イオンキー７０５が押された否かの判定を行う（ステップＳ６０６，Ｓ６０７）。
【０１２６】
上記ステップＳ６０７でイオンキー７０５が押された判定した場合、槽除菌コースの選択を解除した後、ステップＳ６０１に戻る。
【０１２７】
なお、図示しないが、上記ステップＳ６０１，Ｓ６０３，Ｓ６０５，Ｓ６０７でイオンキー７０５が押されていないと判定した場合、スタートキー７０２が押された否かの判定を行って、イオンキー７０５が押された判定すると設定を終了する一方、イオンキー７０５が押されていないと判定するとステップＳ６０１，Ｓ６０３，Ｓ６０５，Ｓ６０７に戻る。
【０１２８】
また、上記ステップＳ６０１，Ｓ６０２が第１の選択制御の一例を構成している。そして、ステップＳ６０３〜Ｓ６０６が第２の選択制御の一例を構成している。さらに、ステップＳ６０７，Ｓ６０８が第３の選択制御の一例を構成している。
【０１２９】
このように、上記イオンキー７０５をおすだけで、Ａｇリンスコースおよび槽除菌コースを選択することができるので、Ａｇリンス選択専用キーおよび槽除菌選択専用キーを設けなくてもよく、製造コストの増大を防ぐことができる。
【０１３０】
また、上記イオンキー７０５を押すだけで、Ａｇリンスコースおよび槽除菌コースを選択することができるので、Ａｇリンスコースおよび槽除菌コースの選択が容易になり、Ａｇリンスコースおよび槽除菌コースの選択に関する操作性を向上させることができている。
【０１３１】
図１１Ａ，図１１Ｂを用いて説明した設定では、イオンキー７０５を押すことにより、標準コースに除菌・防臭を付加していたが、イオンキー７０５を押すことにより、例えばナイトコースにも除菌・防臭を付加することができる。
【０１３２】
以下、図示しないが、ナイトコースが選択されている状態でイオンキー７０５を複数回押す場合について説明する。
【０１３３】
上記コース設定表示部７１３およびイオン設定表示部７１４において、『ナイト』のＬＥＤのみが点灯した状態で、ユーザがイオンキー７０５を１回押すと、『ナイト』および『除菌・防臭』のＬＥＤのみが点灯した状態に変化する。
【０１３４】
次に、上記コース設定表示部７１３およびイオン設定表示部７１４において、『ナイト』および『除菌・防臭』のＬＥＤのみが点灯した状態で、ユーザがイオンキー７０５を１回押すと、『Ａｇリンス』のＬＥＤのみが点灯した状態に変化する。
【０１３５】
次に、上記コース設定表示部７１３およびイオン設定表示部７１４において、『Ａｇリンス』のＬＥＤがのみ点灯した状態で、ユーザがイオンキー７０５を１回押すと、『Ａｇリンス』のＬＥＤが消え、『槽除菌』のＬＥＤのみが点灯した状態になる。
【０１３６】
次に、上記コース設定表示部７１３およびイオン設定表示部７１４において、『槽除菌』のＬＥＤのみが点灯した状態で、ユーザがイオンキー７０５を１回押すと、『槽除菌』のＬＥＤが消え、『標準』のＬＥＤが点灯した状態になる。このとき、上記コース設定表示部７１３およびイオン設定表示部７１４において、『ナイト』、『毛布』、『室内干し』、『ガンコ』、『槽洗浄』、『倍速』および『ドライ』のいずれか１つが点灯するようにしてもよい。
【０１３７】
また、上記毛布コース、室内干しコース、ガンココース、槽洗浄コース、倍速コースおよびドライコースのうちの１つが選択されている状態でイオンキー７０５を複数回押す場合については、ナイトコースが選択されている状態でイオンキー７０５を複数回押す場合と同様であるので説明を省略する。
【０１３８】
ところで、上記イオンキー７０５による除菌・防臭の選択は記憶装置６９１に記憶される。この状態で、仮に電源切キー７０１を押して電源をＯＦＦにしたとしても、イオンキー７０５による除菌・防臭の選択は記憶装置６９１から削除されない。このため、次に、電源入キー７００を押して電源をＯＮすると、図１２Ａに示すように、コース設定表示部７１３およびイオン設定表示部７１４において、『標準』および『除菌・防臭』のＬＥＤのみが点灯した状態８０１となる。この場合、イオンキー７０５を押していくと、図１１Ａ，図１１Ｂとは異なる選択および解除が行われる。
【０１３９】
より詳しく説明すると、電源をＯＮにした直後のコース設定表示部７１３およびイオン設定表示部７１４において、『標準』および『除菌・防臭』のＬＥＤが点灯した状態８０１で、ユーザがイオンキー７０５を１回押すと、『除菌・防臭』のＬＥＤが消え、『標準』のＬＥＤのみが点灯した状態８００になる。
【０１４０】
次に、上記コース設定表示部７１３およびイオン設定表示部７１４において、『標準』のＬＥＤのみが点灯した状態８００で、ユーザがイオンキー７０５を１回押すと、図１２Ｂに示すように、『標準』および『除菌・防臭』のＬＥＤのみが点灯した状態８０１に変化する。
【０１４１】
次に、上記コース設定表示部７１３およびイオン設定表示部７１４において、『標準』および『除菌・防臭』のＬＥＤが点灯した状態８０１で、ユーザがイオンキー７０５を１回押すと、『標準』のＬＥＤが消え、『Ａｇリンス』のＬＥＤが点灯した状態８０２に変化する。
【０１４２】
次に、上記コース設定表示部７１３およびイオン設定表示部７１４において、『Ａｇリンス』のＬＥＤのみが点灯した状態８０２で、ユーザがイオンキー７０５を１回押すと、図１２Ｃに示すように、『Ａｇリンス』のＬＥＤが消え、『槽除菌』のＬＥＤのみが点灯した状態８０３になる。
【０１４３】
次に、上記コース設定表示部７１３およびイオン設定表示部７１４において、『槽除菌』のＬＥＤのみが点灯した状態８０３で、ユーザがイオンキー７０５を１回押すと、図１２Ａに示すように、『槽除菌』のＬＥＤが消え、『標準』のＬＥＤのみが点灯した状態８００に戻る。
【０１４４】
図１４に、図１２Ａ〜図１２Ｃでのイオンキー７０５による設定のフローチャートを示す。
【０１４５】
図１４のフローチャートは、ステップＳ６０１を行う前にステップＳ７０１，Ｓ７０２を行っている点のみが異なっている。
【０１４６】
上記ステップＳ７０１では、標準コースおよび除菌・防臭コースが選択された状態においてイオンキー７０５が押された否かの判定を行う。
【０１４７】
上記ステップＳ７０１でイオンキー７０５が押されたと判定した場合、標準コースの選択を維持すると共に、除菌・防臭コースの選択を解除した後、ステップＳ６０１に進む（ステップＳ７０２）。
【０１４８】
なお、図示しないが、上記ステップＳ７０１でイオンキー７０５が押されていないと判定した場合、スタートキー７０２が押された否かの判定を行って、イオンキー７０５が押された判定すると設定を終了する一方、イオンキー７０５が押されていないと判定するとステップＳ７０１に戻る。
【０１４９】
また、上記ステップＳ７０１，Ｓ７０２が解除手段の一例を構成している。
【０１５０】
このように、電源が入った直後のコース設定表示部７１３およびイオン設定表示部７１４が状態８０１のとき、ユーザがイオンキー７０５を押しても、コース設定表示部７１３およびイオン設定表示部７１４は状態８０２にはならずに状態８００になるので、以降は図１１Ａ，図１１Ｂで示したような選択および解除をイオンキー７０５で行えるので、Ａｇリンスコースおよび槽除菌コースの選択に関する操作性をさらに向上させることができている。
【０１５１】
上記実施の形態では、水槽６２０に供給すべき水に金属イオンの一例としてのＡｇイオンを添加していたが、水槽６２０に供給すべき水に金属イオンの一例としてのＣｕイオンを添加してもよい。つまり、銀イオン溶出ユニット１００の代わりに銅イオン溶出ユニットをメイン給水管５２ａの途中に設けてもよい。
【０１５２】
また、上記洗濯物等に付着させるのは、除菌効果、防臭効果および静電気抑制効果のうちの少なくとも１つを奏する効果物質であればなんでもよい。
【０１５３】
上記実施の形態では、乾燥工程を行えるドラム式洗濯機に本発明を用いて一例について説明したが、乾燥工程を行えないドラム式洗濯機に本発明を用いてもよい。
【０１５４】
つまり、本発明は、乾燥機能を有する有しないに関係なく、横型全自動洗濯機および縦型洗濯機に適用できるものである。
【０１５５】
また、本発明のコース選択部，効果物質溶出動作選択部はボタン式セレクタのものに限られず、例えばジョグダイヤルのような回転型セレクタであってもよい。
【図面の簡単な説明】
【０１５６】
【図１】図１は本発明の一実施の形態のドラム式洗濯機の外観の概略斜視図である。
【図２】図２は図１のドラム式洗濯乾燥機の概略垂直断面図である。
【図３】図３は図１のドラム式洗濯乾燥機の給水口の構成の模式図である。
【図４】図４は図１のドラム式選択乾燥機の洗濯モードに応じた洗濯工程を示すフローチャートである。
【図５】図５は図４の洗い工程を具体的に示したフローチャートである。
【図６】図６は図４のすすぎ工程を具体的に示したフローチャートである。
【図７】図７は図４の脱水工程を具体的に示したフローチャートである。
【図８】図８は図６のすすぎ工程時のイオン溶出判断を示したフローチャートである。
【図９】図９は図８のイオン添加水投入時の各負荷のタイミングチャートである。
【図１０】図１０は図１のドラム式洗濯乾燥機の操作パネルの模式図である。
【図１１Ａ】図１１Ａは図１のドラム式洗濯機のイオンキーによる設定について説明するための模式図である。
【図１１Ｂ】図１１Ｂは図１のドラム式洗濯機のイオンキーによる設定について説明するための模式図である。
【図１２Ａ】図１２Ａは図１のドラム式洗濯機のイオンキーによる設定について説明するための模式図である。
【図１２Ｂ】図１２Ｂは図１のドラム式洗濯機のイオンキーによる設定について説明するための模式図である。
【図１２Ｃ】図１２Ｃは図１のドラム式洗濯機のイオンキーによる設定について説明するための模式図である。
【図１３】図１３は図１１Ａ，図１１Ｂでのイオンキーによる設定のフローチャートである。
【図１４】図１４は図１２Ａ〜図１２Ｃでのイオンキーによる設定のフローチャートである。
【符号の説明】
【０１５７】
５０  給水弁
５０ａ  メイン給水弁
５０ｂ  サブ給水弁
５３  給水口
５４  洗剤室
５５  仕上剤室
１００  銀イオン溶出ユニット１００
６０１  ドラム式洗濯機
６１０  ハウジング
６１６  操作パネル
６２０  水槽
６３０  ドラム
６４０  モータ
６５２  給水ノズル
６６５  排水弁
６９０  制御部
６９１  記憶装置
７０４  コースキー
７０５  イオンキー
【図１】
0004598688.tif 000002
【図２】
0004598688.tif 000003
【図３】
0004598688.tif 000004
【図４】
0004598688.tif 000005
【図５】
0004598688.tif 000006
【図６】
0004598688.tif 000007
【図７】
0004598688.tif 000008
【図８】
0004598688.tif 000009
【図９】
0004598688.tif 000010
【図１３】
0004598688.tif 000011
【図１４】
0004598688.tif 000012
【図１０】
0004598688.tif 000013
【図１１Ａ】
0004598688.tif 000014
【図１１Ｂ】
0004598688.tif 000015
【図１２Ａ】
0004598688.tif 000016
【図１２Ｂ】
0004598688.tif 000017
【図１２Ｃ】
0004598688.tif 000018